(57)【要約】【課題】簡単な構造で、ベルト、ネクタイ、スカーフ、腕時計等の小物類を収納することができる衣類吊り下げ用ハンガーを提供する。【解決手段】ハンガー本体１１と、ハンガー本体１１に接続されたフック１２とを有し、ハンガー本体１１に衣類を吊り下げるとともに、フック１２を所定箇所に引っ掛ける衣類吊り下げ用ハンガーにおいて、フック１２に小物類を掛けて収める延出部１３を設ける。【選択図】図１
2012019923.tif 000002
【特許請求の範囲】
【請求項１】
ハンガー本体と、前記ハンガー本体に接続されたフックとを有し、前記ハンガー本体に衣類を吊り下げるとともに、前記フックを所定箇所に引っ掛ける衣類吊り下げ用ハンガーにおいて、基端部が前記フックに連結された単数または複数の延出部を設け、前記延出部に小物類を掛けることを特徴とする衣類吊り下げ用ハンガー。
【請求項２】
前記延出部は、先端側に、上方または斜め上方に延びる抜け止め部を有することを特徴とする請求項１に記載の衣類吊り下げ用ハンガー。
【請求項３】
前記延出部は、基端部と前記抜け止め部との間にほぼ水平に延びる水平部を有することを特徴とする請求項２に記載の衣類吊り下げ用ハンガー。
【請求項４】
前記延出部は、フックに対して折りたたみ可能に形成されていることを特徴とする請求項１または２に記載の衣類吊り下げ用ハンガー。
【請求項５】
前記延出部は、折りたたんだ状態で全体として前記フックの一部を形成するフック部分代替部であることを特徴とする請求項４に記載の衣類吊り下げ用ハンガー。
【発明の詳細な説明】
【技術分野】
【０００１】
本発明は、衣類を吊り下げるためのハンガーに関し、さらに詳述すると、ベルト、ネクタイ、スカーフ、腕時計等の小物類を収めることができる衣類吊り下げ用ハンガーに関する。
【背景技術】
【０００２】
従来、洗濯物の乾燥や衣類等の保管の際に、衣類を吊り下げるために用いられる多種多様の衣類吊り下げ用ハンガーが市場に供給されている。
【０００３】
このような衣類吊り下げ用ハンガーの１種として、特許文献１のものが提案されている。特許文献１のハンガーは、財布、手帳、免許証、定期券等の小物類を収納可能な収納体を設けたものであり、ハンガー本体に、衣服類を逆Ｕの字状に掛け止め可能な掛止体を設けてある吊下げハンガーであって、前記ハンガー本体のうち、前記掛止体の上方相当箇所に、小物類を収納可能な収納体を上下方向に移動自在に設けるとともに、この収納体の一部に、前記掛止体に掛け止められた衣類に対する押え面を形成してあるものである（請求項１）。
【先行技術文献】
【特許文献】
【０００４】
【特許文献１】特開２０００−１６６７４２号公報
【発明の概要】
【発明が解決しようとする課題】
【０００５】
しかし、特許文献１の衣類吊り下げ用ハンガーは、ハンガー本体のうち、掛止体の上方相当箇所に、小物類を収納可能な収納体を上下方向に移動自在に設けるものであり、小物類の収納構造が複雑であった。
【０００６】
本発明は、上記事情に鑑みてなされたもので、簡単な構造で、ベルト、ネクタイ、スカーフ、腕時計等の小物類を収めることができる衣類吊り下げ用ハンガーを提供することを目的とする。
【課題を解決するための手段】
【０００７】
本発明は、前記目的を達成するため、  ハンガー本体と、前記ハンガー本体に接続されたフックとを有し、前記ハンガー本体に衣類を吊り下げるとともに、前記フックを所定箇所に引っ掛ける衣類吊り下げ用ハンガーにおいて、基端部が前記フックに連結された単数または複数の延出部を設け、前記延出部に小物類を掛けることを特徴とする衣類吊り下げ用ハンガーを提供する。
【０００８】
本発明において、前記延出部は、先端側に、上方または斜め上方に延びる抜け止め部を有する構成とすることができる。これにより、抜け止め部は、延出部に掛けた小物類が延出部の先端側から抜けることを防止することができる。
【０００９】
本発明において、前記延出部は、基端部と前記抜け止め部との間にほぼ水平に延びる水平部を有する構成とすることができる。これにより、水平部は、色々な小物類を容易に掛けることができる。
【００１０】
本発明において、前記延出部は、フックに対して折りたたみ可能に形成されている構成とすることができる。これにより、簡単な操作で延出部をフックに対して折りたたむことができる。また、延出部をフックに対して折りたたむことにより、ハンガー本体に衣類を吊り下げたり、取り外したりするときに、延出部が邪魔になるのを防止することができるので、ハンガー本体に衣類を吊り下げたり、取り外したりするときの使用者による操作性および使い勝手を向上することができる。
【００１１】
本発明において、前記延出部は、折りたたんだ状態で全体として前記フックの一部を形成するフック部分代替部である構成とすることができる。これにより、延出部をフックに対して折りたたんだときに、延出部をフックの一部とすることができる。また、延出部をフックに対して折りたたむことにより、延出部がフックから突出しないので、ハンガー本体に衣類を吊り下げたり、取り外したりするときに、延出部が邪魔になるのを確実に防止することができる。したがって、ハンガー本体に衣類を吊り下げたり、取り外したりするときの使用者による操作性および使い勝手をより向上することができる。
【発明の効果】
【００１２】
本発明の衣類吊り下げ用ハンガーは、フックに延出部を設け、この延出部に例えばベルト、ネクタイ、スカーフ、腕時計等の小物類を掛けることができ、したがって、簡単な構造で、小物類を収めることができるなどの優れた効果を奏する。
【図面の簡単な説明】
【００１３】
【図１】本発明に係る衣類吊り下げ用ハンガーの第１実施形態を示す概略正面図
【図２】本発明に係る衣類吊り下げ用ハンガーの第２実施形態の要部を示す概略拡大正面図
【図３】本発明に係る衣類吊り下げ用ハンガーの第３実施形態の要部を示す概略拡大正面図
【図４】本発明に係る衣類吊り下げ用ハンガーの第４実施形態の要部を示す概略拡大正面図
【図５】本発明に係る衣類吊り下げ用ハンガーの第５実施形態の要部を示す概略拡大正面図であり、（ａ）は閉状態、（ｂ）は開状態
【図６】図５の右側面図であり、（ａ）は閉状態、（ｂ）は開状態
【発明を実施するための形態】
【００１４】
以下、本発明につき図面を参照して詳しく説明する。
【００１５】
（第１実施形態）
図１は本発明に係る衣類吊り下げ用ハンガーの第１実施形態を示す概略図である。
【００１６】
本例の衣類吊り下げ用ハンガー１０は、ハンガー本体１１と、フック１２と、延出部１３とを有している。なお、フック１２と延出部１３とを区別するために、延出部１３を斜線領域にして示してある。
【００１７】
前記ハンガー本体１１は、衣類を吊り下げるためのものであり、上着、シャツなどを掛けることのできる上方に若干凸の弧状に形成された上掛け部１１ａと、この上掛け部１１ａの下方に水平に延在され、ズボン、タオルなどを掛けることのできる棒状に形成された下掛け部１１ｂと、上掛け部１１ａの右端と下掛け部１１ｂの右端とを接続する右に凸のほぼ半環状に形成された右接続部１１ｃと、上掛け部１１ａの左端と下掛け部１１ｂの左端とを接続する左に凸のほぼ半環状に形成された左接続部１１ｄとを有しており、全体として正面横長の楕円の外周の形状に形成されている。
【００１８】
前記フック１２は、衣類吊り下げ用ハンガー１０を図示しない所定箇所、例えばクローゼットのハンガーパイプ、洋服掛けのフックあるいはパイプ等に引っ掛けて掛け止めるためのものであり、半円弧状よりやや大きめの弧状引っ掛け部１２ａと、この弧状引っ掛け部１２ａの下端部から図１の上下方向に示す垂直方向に延設する直線状軸部１２ｂとを有しており、全体として左側に開口１２ｃを具備するクエスチョンマークの下の点がない形状に形成されている。そして、直線状軸部１２ｂの下端は、ハンガー本体１１の一部を構成する上掛け部１１ａの中央部に連結されている。
【００１９】
前記延出部１３は、ベルト、ネクタイ、スカーフ、腕時計等の小物類を掛けて収めるためのものであり、その基端部１３ａがフック１２の開口側下部、詳しくは弧状引っ掛け部１２ａの下端左側面に連結されている。この延出部１３の先端側である左端側には左斜め上方に延びる抜け止め部１３ｂが設けられている。また、基端部１３ａと抜け止め部１３ｂとの間には図１の左側に向かってほぼ水平に延びる水平部１３ｃが設けられている。
【００２０】
なお、延出部１３とフック１２とは、一体に形成しもよいし、個別に形成されたものを図示しない連結軸などの連結手段あるいは接着剤、融着などにより接合によって固着してもよい。
【００２１】
本例の衣類吊り下げ用ハンガー１０は、ハンガー本体１１とフック１２と延出部１３とがプラスチックにより一体に形成されている。
【００２２】
なお、ハンガー本体１１とフック１２とは、それぞれの連結部で図示しない連結軸を介して相対回転可能に形成してもよいし、一体に形成してもよい。
【００２３】
また、ハンガー本体１１、フック１２および延出部１３のそれぞれの断面形状は、３者ともに同一であってもよいし、３者がそれぞれ異なるものであってもよいし、いずれか１者が他の２者に対して異なるものであってもよい。
【００２４】
本例の衣類吊り下げ用ハンガー１０の材質に限定はなく、例えばプラスチック類、金属類、木質材料等で形成することができるが、生産性が高く、低コスト化を容易に図ることができるという意味で、プラスチック類で形成することが好ましい。
【００２５】
勿論、ハンガー本体１１、フック１２および延出部１３のそれぞれの材質を異ならせることもできる。
【００２６】
また、衣類吊り下げ用ハンガー１０の製造方法に限定はなく、ハンガー本体１１、フック１２および延出部１３のそれぞれを個別に形成して組み立てたり、ハンガー本体１１、フック１２および延出部１３を一体形成したりすることができるが、生産性が高く、低コスト化を容易に図ることができるという意味で、材質としてプラスチック類を用いて一体成型することが好ましい。
【００２７】
さらに、本例の衣類吊り下げ用ハンガー１０のハンガー本体１１およびフック１２は、従来公知の各種の形状を用いることができる。
【００２８】
なお、本例の衣類吊り下げ用ハンガー１０を構成するハンガー本体１１、フック１２および延出部１３は、それぞれの断面形状が円形に形成されている。勿論、ハンガー本体１１、フック１２および延出部１３のそれぞれの断面形状は、矩形、多角形、楕円などの各種の形状を単独もしくは組み合わせて用いることができる。
【００２９】
本例の衣類吊り下げ用ハンガー１０は、例えばベルト、ネクタイ、スカーフ、腕時計等の小物類を延出部１３に掛けることで収めることができるものである。この場合、抜け止め部１３ｂは、延出部１３に掛けた小物類が延出部１３の先端側から抜けることを防止することができる。
【００３０】
また、本例の衣類吊り下げ用ハンガー１０によれば、延出部１３の水平部１３ｃは、例えばベルト、ネクタイ、スカーフ、腕時計等の小物類を容易に掛けることができるし、掛けた小物類を安定させることができる。また、フック１２に延出部１３が設けられているから、ハンガー本体１１に衣類を吊り下げた状態であっても外部から小物類を確認することができる。さらに、ハンガー本体１１に衣類を吊り下げたり、取り外したりするときに、延出部１３が邪魔になるのを防止することができるので、ハンガー本体１１に衣類を吊り下げたり、取り外したりするときの使用者による操作性および使い勝手を向上することができる。
【００３１】
さらに、本例の衣類吊り下げ用ハンガー１０によれば、ハンガー本体１１は、従来と同様に衣類を吊り下げることができる。さらにまた、フック１２は、従来と同様に、衣類吊り下げ用ハンガー１０を所定箇所に引っ掛けて掛け止めることができる。
【００３２】
なお、本例の衣類吊り下げ用ハンガー１０によれば、延出部１３がフック１２の開口側に形成されているから、フック１２の開口１２ｃが狭くなるので、所定箇所に掛け止めた衣類吊り下げ用ハンガー１０が脱落しにくくなるという副次的効果を奏する。
【００３３】
（第２実施形態）
図２は本発明に係る衣類吊り下げ用ハンガーの第２実施形態の要部を示す概略拡大正面図である。
【００３４】
図２に示すように、本例の衣類吊り下げ用ハンガー２０は、延出部２３の取付位置を変更したものである。すなわち、延出部２３の基端部２３ａをフック１２の開口１２ｃの反対側下部、詳しくは弧状引っ掛け部１２ａの下端右側に連結したものである。この延出部２３の先端側である右端側には右斜め上方に延びる抜け止め部２３ｂが設けられている。また、基端部２３ａと抜け止め部２３ｂとの間には図２の右側に向かってほぼ水平に延びる水平部２３ｃが設けられている。その他の構成は前述した第１実施形態の衣類吊り下げ用ハンガー１０と同様とされているので、前述した第１実施形態の衣類吊り下げ用ハンガー１０と同一ないし相当する構成については図面中に同一の符号を付しその説明は省略する。このような構成の本例の衣類吊り下げ用ハンガー２０によれば、前述した第１実施形態の衣類吊り下げ用ハンガー１０と同様の効果を奏することができる。
【００３５】
また、本例の衣類吊り下げ用ハンガー２０によれば、延出部２３がフック１２の開口１２ｃの反対側に形成されているから、フック１２の開口１２ｃが狭くならないので、衣類吊り下げ用ハンガー２０を所定箇所に掛け止める際の操作性を阻害しないという副次的効果を奏する。
【００３６】
（第３実施形態）
図３は本発明に係る衣類吊り下げ用ハンガーの第３実施形態の要部を示す概略拡大正面図である。
【００３７】
図３に示すように、本例の衣類吊り下げ用ハンガー３０は、延出部３３の取付位置をさらに変更したものである。すなわち、延出部３３の基端部３３ａをフック１２の上部、詳しくは弧状引っ掛け部１２ａの先端に連結したものである。この延出３３の先端側である左端側には右斜め上方に延びる全体として左側に凸の弧状に形成された抜け止め部３３ｂが設けられている。また、基端部３３ａと抜け止め部３３ｂとの間には図３の左側に向かってほぼ水平に延びる水平部３３ｃが設けられている。その他の構成は前述した第１実施形態の衣類吊り下げ用ハンガー１０と同様とされているので、前述した第１実施形態の衣類吊り下げ用ハンガー１０と同一ないし相当する構成については図面中に同一の符号を付しその説明は省略する。このような構成の本例の衣類吊り下げ用ハンガー３０によれば、前述した第１実施形態の衣類吊り下げ用ハンガー１０と同様の効果を奏することができる。
【００３８】
また、本例の衣類吊り下げ用ハンガー３０によれば、延出部３３がフック１２の開口１２ｃの上部に形成されているから、小物類を掛ける位置を吊り下げた衣類から離すことができるし、小物類を掛ける位置を高くすることができる。
【００３９】
（第４実施形態）
図４は本発明に係る衣類吊り下げ用ハンガーの第４実施形態の要部を示す概略拡大正面図である。
【００４０】
図４に示すように、本例の衣類吊り下げ用ハンガー４０は、複数の延出部１３、２３を設けたものである。すなわち、本例の衣類吊り下げ用ハンガー４０は、第１実施形態の衣類吊り下げ用ハンガー１０に設けられた延出部１３と、第２実施形態の衣類吊り下げ用ハンガー２０に設けられた延出部２３との２つの延出部１３、２３が設けられている。その他の構成は前述した第１実施形態の衣類吊り下げ用ハンガー１０と同様とされているので、前述した第１実施形態の衣類吊り下げ用ハンガー１０と同一ないし相当する構成については図面中に同一の符号を付しその説明は省略する。なお、第３実施形態の延出部１３を組み合わせることにより、総計３つの延出部１３を設ける構成とすることができる。
【００４１】
このような構成の本例の衣類吊り下げ用ハンガー４０によれば、前述した第１および第２実施形態の衣類吊り下げ用ハンガー１０、２０と同様の効果を奏することができる。
【００４２】
また、本例の衣類吊り下げ用ハンガー４０によれば、フック１２の開口１２ｃ側と、開口１２ｃの反対側とに延出部１３、２３が形成されているから、複数の小物類を掛け止めることができるし、利き腕にあわせて使用する延出部１３、２３を選択することができるから、操作性を向上することができる。
【００４３】
（第５実施形態）
図５および図６は本発明に係る衣類吊り下げ用ハンガーの第５実施形態の要部を示すものであり、図５は概略拡大正面図、図６は図５の右側面図、それぞれの（ａ）はフック１２に延出部１３を折りたたんだ閉状態、それぞれの（ｂ）はフック１２から延出部１３を開いた開状態である。
【００４４】
図５および図６に示すように、本例の衣類吊り下げ用ハンガー５０は、延出部５３をフック５２に対して折りたたみ可能に形成したものである。すなわち、本例の衣類吊り下げ用ハンガー５０は、フック５２の一部を構成する弧状引っ掛け部５２ａの一部、詳しくは弧状引っ掛け部５２ａの右下に位置する右下屈曲部から右上に位置する右上屈曲部の間に、延出部１３を装着するための平坦な装着凹溝５２ｄが設けられている。この装着凹溝５２ｄは、弧状引っ掛け部５２ａの正面側の厚さを半分にすることにより形成されている。すなわち、弧状引っ掛け部５２ａにおける装着凹溝５２ｄの形成部位は、断面半円状に形成されている。なお、符号５２ｂは直線状軸部、５２ｃは開口である。
【００４５】
前記装着凹溝５２ｄには、断面半円状に形成された延出部５３がその平坦面を対向させて装着されている。この延出部５３の正面形状は、装着凹溝５２ｄ正面形状とほぼ同一に形成されている。また、延出部５３の基端部５３ａは、連結軸５４によって装着凹溝５２ｄに連結されているとともに、連結軸５４を中心として、図５（ａ）および図６（ａ）に示すフック５２に折りたたんだ閉状態と、図５（ｂ）および図６（ｂ）に示すフック５２から開いた開状態との２位置を取り得るように開閉自在に取り付けられている。すなわち、延出部５３は、フック１２に対して折りたたみ可能に形成されている。
【００４６】
前記延出部５３は、図５（ａ）および図６（ａ）に示すように、フック５２に折りたたんだ閉状態において、全体としてフック５２の一部を形成するフック部分代替部５５となるように形成されている。また、延出部５３は、開状態における先端側である右端側には右斜め上方に延びる抜け止め部５３ｂが設けられている。また、基端部５３ａと抜け止め部５３ｂとの間には開状態において右側に向かってほぼ水平に延びる水平部５３ｃが設けられている。
【００４７】
なお、装着凹溝５２ｄと延出部５３との対向面の一方に図示しない小さい凸部を設け、他方に凸部が嵌合する図示しない凹部を設けることにより、延出部５３を閉状態に保持させることができるとともに、使用者によるフック５２に対する延出部５３の開閉操作を容易に行うことができる。
【００４８】
その他の構成は前述した第１実施形態の衣類吊り下げ用ハンガー１０と同様とされているので、前述した第１実施形態の衣類吊り下げ用ハンガー１０と同一ないし相当する構成については図面中に同一の符号を付しその説明は省略する。このような構成の本例の衣類吊り下げ用ハンガー５０によれば、前述した第１実施形態の衣類吊り下げ用ハンガー１０と同様の効果を奏することができる。
【００４９】
また、本例の衣類吊り下げ用ハンガー５０によれば、延出部５３は、フック５２に対して折りたたみ可能に形成されているから、簡単な操作で延出部５３をフック５２に対して折りたたむことができる。また、延出部５３をフック５２に対して折りたたむことにより、ハンガー本体１１に衣類を吊り下げたり、取り外したりするときに、延出部５３が邪魔になるのを防止することができるので、ハンガー本体１１に衣類を吊り下げたり、取り外したりするときの使用者による操作性および使い勝手を向上することができる。
【００５０】
さらに、本例の衣類吊り下げ用ハンガー５０によれば、延出部５３は、折りたたんだ状態で全体としてフック１２の一部を形成するフック部分代替部５５とされているから、延出部５３をフック５２に対して折りたたんだときに、延出部５３をフック５２の一部とすることができる。したがって、延出部５３をフック５２に対して折りたたむことにより、延出部５３がフック５２から突出しないので、ハンガー本体１１に衣類を吊り下げたり、取り外したりするときに、延出部５３が邪魔になるのを確実に防止することができる。
【００５１】
よって、本例の衣類吊り下げ用ハンガー５０によれば、ハンガー本体１１に衣類を吊り下げたり、取り外したりするときの使用者による操作性および使い勝手をより向上することができる。
【００５２】
なお、本発明は、前述した各実施形態に限定されるものではなく、必要に応じて種々の変更が可能である。
【符号の説明】
【００５３】
１０、２０、３０、４０、５０  衣類吊り下げ用ハンガー
１１  ハンガー本体
１１ａ  上掛け部
１１ｂ  下掛け部
１２、５２  フック
１２ａ、５２ａ  弧状引っ掛け部
１２ｂ、５２ｂ  直線状軸部
１２ｃ、５２ｃ  開口
１３、２３、３３、５３  延出部
１３ａ、２３ａ、３３ａ、５３ａ  基端部
１３ｂ、２３ｂ、３３ｂ、５３ｂ  抜け止め部
１３ｃ、２３ｃ、３３ｃ、５３ｃ  水平部
５２ｄ  装着凹溝
５４  連結軸
５５  フック部分代替部
【図１】
2012019923.tif 000003
【図２】
2012019923.tif 000004
【図３】
2012019923.tif 000005
【図４】
2012019923.tif 000006
【図５】
2012019923.tif 000007
【図６】
2012019923.tif 000008